(57)【要約】【課題】洗浄具において、身体を洗浄する時に、その洗浄具一つの素材だけしか肌に感触を与える事ができず、又、背中や顔などを洗う場合は、その場所に適したもう一つの洗浄具を用意する必要があった。【解決手段】人体を洗浄する為の洗浄具において、洗浄具アの両端部に他の洗浄具イ、ウを連結可能とする連結具５，６が取り付けている事を特徴とした洗浄具１である。洗浄する場所や好みで、異なる材質の洗浄具ア、イ、ウが選択でき、複数個連結することで、手の届かない背中１０が洗浄できる。又、折り曲げて片手１１で握ると異なる材質の刺激を同時に、あるいはその感触を調整しながら肌に与え、洗浄することができる。【選択図】      図１
2004344195.tif 000002
【特許請求の範囲】
【請求項１】
人体に接触させ、人体を洗浄するための洗浄具において、洗浄具の両端部に他の洗浄具を連結可能とする連結具がとりつけられていることを特徴とした洗浄具。
【請求項２】
前記請求項より、洗浄具がスポンジ、ブラシ、ヘチマ、合成繊維のタオルや袋状のものからなる郡から選ばれる、少なくとも一つである。
【請求項３】
前記請求項より、洗浄具に連結可能な可撓性のリングからなる把持部材。
【請求項４】
前記請求項より、洗浄具を複数個連結でき、又、洗浄具を着脱自在とできる事を特徴とする洗浄具。
【発明の詳細な説明】
【０００１】
【発明の属する技術分野】
本発明はあかすり洗浄具に関する。
【０００２】
【従来の技術】
従来、身体を洗浄する洗浄具はスポンジ、ブラシ、ヘチマ、天然繊維、合成繊維のタオルや袋状のものがあり、いずれも、その材質だけを単独に使用するのが一般的である。
又、手の届かない背中を洗う場合は紐をつけたものや、柄を付けた洗浄具が知られている。
公開されている洗浄具として、特開２０００−０１４５９０ボディスポンジ、特開平０７−１２４０１５柄付きブラシ、特開平０９−０３７９９１ハンドブラシ、特開平０９−１７３２４０袋状あかすり、実開平１０−１８０異なる素材を備えた摺洗具などが公開されている。
【０００３】
【発明が解決しようとする課題】
しかし、上記従来技術において、スポンジは泡立ちがよく、肌に柔らかく優しい一定の感触が得られて心地良いが、かゆみなどを解消させる刺激を得ることができない欠点がある。
又、ブラシにおいて、かゆみなどをとるために刺激を皮膚に与える事ができるが、顔などの皮膚の柔らかい部分を洗浄するのに適していない欠点がある。
さらに、柄付きブラシは手の届かない背中を洗浄するのに適しているが、その他の手の届く部分を洗浄するには、ハンドブラシをもう一つ用意して、洗浄具を使いわける必要があった。
又、ヘチマにおいて、肌に適度の刺激を与える事ができる天然素材であるが、背中などを洗浄する場合は長いヘチマが必要とされ、取り扱いに不便である。  又、ブラシ同様に顔などの皮膚の柔らかい部分を洗浄するには、とても硬すぎて皮膚を傷つけてしまうので、使用できない欠点がある。
又、合成繊維のタオルや袋状のものは、からだ全体を洗浄する事に最も適しているが、垢をとる為に皮膚を強くこすり、刺激を与え続けると、皮膚にメラニン色素を沈着させて皮膚を黒くしてしまう欠点がある。
本発明の洗浄具は上記問題を解決しようとするもので、一つの洗浄具で身体全体を好みの材質で組み合わせ、その材質の長所の感触を得られるように、肌に心地良く洗浄できる洗浄具を提供する事を目的とする。
【０００４】
【課題を解決するための手段】
前記目的を達成する為に、本発明は以下のとおり考案したものである。
請求項１において、人体に接触させ、人体を洗浄するための洗浄具において、洗浄具の両端部に他の洗浄具を連結可能とする連結具がとりつけられていることを特徴とした洗浄具。
【０００５】
請求項２において、前記洗浄具がスポンジ、ブラシ、ヘチマ、合成繊維のタオルや袋状のものからなる郡から選ばれる、少なくとも一つである。
【０００６】
請求項３において、前記洗浄具に連結可能な可撓性のリングからなる把持部材。
【０００７】
請求項４において、前記洗浄具を複数個連結でき、又、洗浄具を着脱自在とできる事を特徴とする洗浄具。
【０００８】
本発明洗浄具は連結具がついた洗浄具を複数個連結し、両端部を持って背中に接することができ、手の届かない背中を洗浄することができる。
又、背中に接する部分の洗浄具の材質は、使用する人の好みに合わせて、容易に着脱自在に取りかえできる特徴がある。
【０００９】
又、手の届く顔や手足、身体を洗浄する場合は連結部で折り曲げて、洗浄具を抱き合わせて片手で握る事ができる。
異なる材質を組み合わせて、人肌に接して洗浄する感触は各材質の長所を生かしながら調整できるのが特徴である。
本発明の着脱自在な洗浄具を利用すれば、身体の部分に合わせて、又、材質の長所を生かした洗浄具を組み合わせて、身体全体を洗浄する事ができる効果がある。
【００１０】
【発明の実施の形態】
以下に発明の実施の形態を図に基づき説明する。
【００１１】
図１において、連結具を洗浄具の両端部に取りつけた本発明の洗浄具１の一例の斜視図である。  アは軟質スポンジ２の両端部に連結具ナスカン５と連結具リング６を取りつけた軟質スポンジ洗浄具の一例である。
イは棒状に加工したブラシ３の両端部に連結具ナスカン５と連結リング６を取りつけた棒状のブラシ洗浄具の一例である。
ウは天然素材のヘチマ４の両端部に連結具ナスカン５と連結具リング６を取りつけたヘチマ洗浄具の一例である。
本発明の洗浄具は上記以外に天然繊維や合成繊維タオル、袋状に被覆された材質の洗浄具の両端部にも連結可能とする連結具が取りつけられることを特徴として、使用する人の好みに合わせて材質を選択でき、連結し、また、着脱自在に取りつけて使用することができる。
【００１２】
図２において、連結具の一例の形状の図である。
本発明の洗浄具の試作品において、連結具ナスカン５は、魚釣り用の腐食しにくいステンレス製で、ねじれない小型のナスカンを採用した。
この連結具ナスカン５は片方のａ部に手グスを結び、もう片方のｃ部に釣り針の付いた仕掛けを取り付けて海底に到着する時に、又、巻き上げる時にａ部の一部とｃ部の一部がｂ部内部に収納されていて、そのｂ部の内部で各々別々に３６０度、左右どちらの方向にも回転でき、決してねじれる事がないものである。
複数個の洗浄具を連結して、身体を洗浄した時に、一部の洗浄具自体がねじれてもこの連結部分で回転のかかる方向に自然と回転し、ねじれて連結具や材料が損傷することなく、又、人肌に接しても肌を傷つけない安全性を有したものである。
連結具ナスカン５の種類や形状、及び材質において、引っ張りやねじれに耐えうる強度を備え、又一定方向のねじれに対して左右どちらの方向にも３６０度回転し、且つ、人肌を傷つけない材質のものであれば、ステンレス製等の金属のナスカンに限定せず、樹脂製のものでも洗浄具に取りつけ可能である。
【００１３】
連結具リング６はステンレス製のＷリングを試作品で採用した。
連結具ナスカン５を連結具リング６に取りつけ、これを洗浄具の片方の端に取り付けることができる。又、洗浄具のもう一方の端に連結具リング６を取りつけることができる。ただし、材質の形状や構造が異なるためワイヤーや紐などは、取りつけ方がそれぞれ異なる。
この連結具５と６を取り付けることで、複数個の洗浄具と洗浄具を連結することができる特徴を持つ。又、着脱自在である為、洗浄具の材質を使用する人の好みに合わせて、自由に組み合わせて洗浄に使用できる。
連結具リング６の大きさは洗浄具の素材断面の直径よりも小さく、又、軟質スポンジに開けた穴よりも大きいものとし、軟質スポンジ２が抜けて外れないものとする。このリングの大きさは指１〜２本が入る大きさが好ましい。
連結具リング６の種類や形状及び、材質において、引っ張りや衝撃に耐えうる強度があり、又、人肌に接しても肌を傷をつけない構造と材質であれば、ステンレスなどの金属に限定せず、樹脂製のものでも洗浄具に取りつけ、使用可能である。
【００１４】
図３において、本発明の連結した洗浄具の一例の斜視図である。
軟質スポンジ２の洗浄具と棒状のブラシ３の洗浄具を連結し、棒状のブラシ３のもう片方の端に可撓性リング７を連結させた一例である。
可撓性リング７は可撓性の輪に連結具リング６を取りつけ、それに連結具ナスカン５を取りつけたもので、本発明の洗浄に連結でき、握り手としたものである。材質はビニール製やナイロン製などの紐、又はステンレス製のワイヤーのように耐水性を有し、腐食しないで、乾燥しやすく、細菌が繁殖しにくい材質のものが好ましい。
又、可撓性リング７の大きさは片手を入れて握る事ができる大きさが好ましい。
洗浄具の利用後に洗浄具を洗った後に壁などのフックに引っ掛けて乾燥させることが可能である。
もちろん、連結具ナスカン５や連結具リング６にも引っ掛けて吊り下げることが可能である。
【００１５】
図４において、本発明の連結した洗浄具の一例の断面説明図である。
本発明の洗浄具１の構成と製作方法の一例を以下に説明する。
アは軟質スポンジ２の両端部に、他の洗浄具を連結可能とする連結具を有した特徴の洗浄具の一例である。
アの軟質スポンジ２の材質はポリウレタンフォームが好ましく、片手で握る事ができる太さが好ましい。  略円柱状に形成した軟質スポンジ２の片方の端の断面中央部から、もう片方の端の断面中央部までの長い方向に貫通した小穴を開け、一方の端の穴からもう片方の端の穴に向かって可撓性のステンレス製ワイヤー８を通したものである。
腐食しない材質で吸水性がなく、乾燥しやすいものであれば、ナイロン製やビニール製の紐も使用可能である。
軟質スポンジ２を貫通したワイヤー８の両端部に輪をつくり、その輪とワイヤー８は洗浄時の引っ張りに充分耐えうる強度があるものとする。
スポンジの両端部に設けたワイヤー８の輪に連結具リング６を取りつけることで、連結具リング６を取りつけたワイヤー８と軟質スポンジ２が固定されて略一体となり、背中を洗浄する時に一定の方向に繰り返し動かしても外れる事なく、摩擦抵抗を人肌に与え続けて洗浄することが可能である。
この片方の連結具リング６に連結具ナスカン５を取りつけることで、本発明の洗浄具を複数個連結でき、又、着脱自在なことを特徴としたアの軟質スポンジ２の洗浄具が構成される。
【００１６】
図４において、イは棒状に形成したブラシ３の両端部に、他の洗浄具を連結可能とする連結具を有した特徴の洗浄具の一例である。
イの棒状のブラシ３は、一本のステンレス製の針金等の弾性体を二つ折りにして、豚毛を挟み、治具に針金を二つ折りにした方を固定し、もう一方の端に偶力を加えて、ある角度だけ回転させた時に放射状に且つ、円柱状に豚毛が揃った棒状のブラシに形成したもので、片手で握る事ができる太さに加工したものが好ましい。
皮膚に傷がつかない柔らかさのものであれば、豚や馬の動物の毛以外にアクリルや、塩化ビニール、ナイロン等の人工素材繊維でも使用可能である。又、豚毛の密度は濃い方が泡立ちもよく、皮膚に心地よい刺激を与える事ができる。
針金９の両端部を輪状にし、人肌に接触しても肌を傷つけないように処理を行う。その針金の先端部に樹脂等の被覆材をかぶせて、ブラシ毛の中の針金９に添わせて処理をするのが好ましい。
ブラシの両端部を輪状に処理したものに連結具リング６を両方に取りつけ、どちらか一方の連結具リング６に連結具ナスカン５を取りつけることで、本発明の洗浄具を複数個連結でき、又、着脱自在なことを特徴としたイの棒状のブラシ３の洗浄具が構成される。
【００１７】
洗浄具の連結方法は図４に示したとおりである。
アの軟質スポンジの洗浄具に取りつけた連結具ナスカン５をイの棒状のブラシの洗浄具に取りつけた連結具リング６に連結し、連結具ナスカン５のフックを閉じることで、アとイの洗浄具がしっかり連結される。使用時のねじれはアとイの洗浄具が互いに異なる方向に回転して、ねじれようとしても連結具ナスカン５のａの一部分とｃの一部分がｂの内側で各々回転するので、洗浄具のねじれによる損傷がなく使用できる。又、アとイの洗浄具を取り外す場合は連結具ナスカン５のフックを外せば容易に洗浄具を取り外すことが可能である。
本発明の洗浄具は他の洗浄具を連結可能とする連結具が取りつけられている事を特徴とした洗浄具１である。
【００１８】
図４に示したように、可撓性のリング７に連結具リング６を連結し、そのリングに連結具ナスカン５を連結したものを上記の連結した洗浄具に連結する。フックを外すことで着脱自在となる。
図４に示した洗浄具１は、本発明の一例である。
【００１９】
図５において、本発明の洗浄具の連結の組み合わせの一例である。
組み合わせは洗浄具の種類と連結数で決まり、その組み合わせ種類は数知れない程沢山できる。
使用する人の組み合わせで決定し、適宜選択される。
洗浄具１のカは棒状のブラシ３と握り手の可撓性リング７の間に軟質スポンジを介在させた洗浄具１を組み合わせた一例である。また、軟質スポンジ２と棒状のブラシ３を入れ替えて、中央部にブラシを介在し、連結したのがキの組み合わせの一例である。
又、クは両端部の可撓性のリング７の間に軟質スポンジ２と棒状のブラシ３を介在させて連結し、背中１０を泡立ちの良いスポンジと、かゆみなどを解消できるブラシの刺激を同時に得られるように組み合わせた洗浄具１の一例である。
【００２０】
キの組み合わせの洗浄具１の使い方を例にとると、図６に示したとおり、可撓性リング７に片手１１を入れて握り、洗浄具を背中１０にまわして、垂れ下がったもう一方の軟質スポンジ２の端部を握ると棒状のブラシ３を背中１０に接触させる事ができる。そのまま左右の手１１を互いに引き合って繰り返し動かすと背中１０の皮膚に摩擦を起こし、棒状のブラシ３の刺激と心地良い感触をが得られる。
背中１０に接触するところはかゆみや皮膚の刺激の度合いに合わせ、又、感触の好みに合わせて軟質スポンジ２を取り付けて、洗浄する事が容易にできる特徴がある。
【００２１】
又、本発明の洗浄具１は手の届かない背中１０を洗浄する時は一本の棒のように連結したまま使用できるが、顔や手足、身体などの手の届くところを洗浄する場合は、図７に示したように洗浄具１を連結したまま連結具のところから折り曲げて、軟質スポンジ２と棒状のブラシ３を抱き合わせて一緒に握る事ができる。
異なる材質を抱き合わせて同時に身体を洗浄した時の感触は、従来の洗浄具ではできなかったことである。
異なる材質による肌への刺激の調整は、使用する人の感覚にもよるが、スポンジの長所である泡立ちと柔らかい肌触りの感触を望む場合は、軟質スポンジ２の面を肌に当てて洗浄すればその感触を得られる。  又、ブラシの長所である肌への刺激の感触を望む場合は、棒状のブラシ３の面を肌に当てて洗浄すれば、その感触を得ることができる。
又、同時にあるいは微妙な感触は、材質の面が肌への接し方の調整で決めることができる。
ヘチマなどの天然素材や合成繊維製のものとの組み合わせにより、洗浄する人の好みに合わせた感触を得られる効果は大きい。
【００２２】
図８において、本発明の連結できて着脱自在な洗浄具の組み合わせ例である。洗浄具１の組み合わせ数は洗浄具の材質の数と、その連結数で決まり、洗浄具を使用する人の選択で適宜決定される。
タは単品利用の洗浄具１の組み合わせの一例である。
２は軟質スポンジ  ３は棒状のブラシ  ４はヘチマ  を示す。
チは可撓性リング７の間に各異なる上記記載の材質の洗浄具を介在させ、連結した洗浄具１の組み合わせの一例である。
ツは同じ材質の洗浄具を２個連結した洗浄具１の組み合わせの一例である。
テは異なる材質の洗浄具を２個連結した洗浄具１の組み合わせの一例である。
トは同じ材質の洗浄具を２個と可撓性リング７を連結し、組み合わせの一例である。
ナは異なる材質の洗浄具を２個と可撓性リング７を連結し、組み合わせの一例である。
ニは同じ材質の洗浄具を３個連結した洗浄具１の組み合わせの一例である。
ヌは異なる材質の洗浄具を３個連結した洗浄具１の組み合わせの一例である。
ネは同じ素材の洗浄具を４個連結した洗浄具１の組み合わせの一例である。
ノは異なる材質の洗浄具を４個連結した洗浄具１の組み合わせの一例である。
ハは両端の可撓性のリング７の間に洗浄具１を複数個介在した組み合わせの一例である。
【００２３】
【発明の効果】
本発明洗浄具は連結具がついた洗浄具を複数個連結し、両端部を持って背中に接することができ、手の届かない背中を洗浄することができる効果がある。
又、背中に接する部分の洗浄具の素材を使用する人の好みに合わせて、容易に着脱自在に取りかえできる特徴がある。
【００２４】
又、手の届く顔や手足、身体を洗浄する場合は連結部で折り曲げて、洗浄具を抱き合わせて片手で握る事ができる。異なる素材を組み合わせて、人肌に接して洗浄する感触を各材質の長所を生かしながら調整できるのが特徴である。
本発明の着脱自在な洗浄具を利用すれば、身体の部分に合わせて、又、材質の長所を生かした洗浄具で身体全体を洗浄する事ができる効果がある。
【図面の簡単な説明】
【図１】本発明の洗浄具で、両端部に他の洗浄具を連結可能とした、連結具を取りつけた特徴の洗浄具の一例の斜視図。
【図２】連結具の一例の側面図。
【図３】本発明の連結した洗浄具の一例の斜視図。
【図４】本発明の連結した洗浄具の一例の図３のＡ〜Ａ断面図。
【図５】本発明の洗浄具の連結の組み合わせの一例の側面図。
【図６】背中を洗浄するときの参考図。
【図７】片手で本発明の洗浄具を握った状態の参考図。
【図８】本発明の洗浄具の連結の組み合わせ種類数の一例の斜視図。
【符号の説明】
１      洗浄具
２      軟質スポンジ
３      棒状のブラシ
４      ヘチマ
５      連結具ナスカン
６      連結具リング
７      可撓性リング
８      ワイヤー
９      針金
１０    背中
１１    手
【図１】
2004344195.tif 000003
【図２】
2004344195.tif 000004
【図３】
2004344195.tif 000005
【図４】
2004344195.tif 000006
【図５】
2004344195.tif 000007
【図６】
2004344195.tif 000008
【図７】
2004344195.tif 000009
【図８】
2004344195.tif 000010